(57)【要約】【課題】ディスプレイへのグラフィックスの表示を迅速に行う。【解決手段】グラフィックマイクロコントローラ３３は、メモリ３６に、GUIを描画し、画像を表示するディスプレイ１１へのGUIの出力を制御する。ＴＶマイクロコントローラ２６は、グラフィックマイクロコントローラ３３に特定のGUIが記憶されているか否かを判定し、特定のGUIが記憶されていないと判定した場合、特定のGUIをメモリ３６に描画するようにグラフィックマイクロコントローラ３３を制御する。本発明は、例えば、テレビジョン受像機に適用できる。【選択図】図１
2007116382.tif 000002
【特許請求の範囲】
【請求項１】
内蔵するメモリに、グラフィックスを描画し、画像を表示する表示手段へのグラフィックスの出力を制御する第１の制御手段と、
前記第１の制御手段の前記メモリに特定のグラフィックスが記憶されているか否かを判定し、前記特定のグラフィックスが記憶されていないと判定した場合、前記特定のグラフィックスを前記メモリに描画するように前記第１の制御手段を制御する第２の制御手段と
を備える表示制御装置。
【請求項２】
前記第２の制御手段は、
ユーザにより前記表示手段にグラフィックスを表示させる操作が行われると、前記表示手段に表示させることが指示された前記グラフィックスが、前記第１の制御手段の前記メモリに記憶されているか否かを判定し、
前記グラフィックスが前記第１の制御手段の前記メモリに記憶されていると判定した場合、前記メモリに既に記憶されている前記グラフィックスを読み出し、前記表示手段に出力するように前記第１の制御手段を制御し、
前記グラフィックスが前記第１の制御手段の前記メモリに記憶されていないと判定した場合、前記表示手段に表示させることが指示された前記グラフィックスを前記メモリに描画し、前記表示手段に出力するように前記第１の制御手段を制御する
請求項１に記載の表示制御装置。
【請求項３】
前記第１の制御手段は、
前記メモリに、グラフィックスを記憶する複数の記憶領域を有しており、
第１のグラフィックスを前記表示手段に出力しているときに、第２のグラフィックスを前記表示手段に出力するように前記第２の制御手段によって制御されると、前記第１のグラフィックスの記憶を保持したまま、前記第１のグラフィックスを記憶している記憶領域以外の記憶領域に記憶されている前記第２のグラフィックスを前記表示手段に出力する
請求項２に記載の表示制御装置。
【請求項４】
前記第２の制御手段は、前記第１の制御手段に描画させるグラフィックスが、前記第１の制御手段の前記メモリに既に記憶されているグラフィックスの一部を変更することにより得られるグラフィックスである場合、前記第１の制御手段の前記メモリに記憶されているグラフィックスの一部を変更するように前記第１の制御手段を制御する
請求項１に記載の表示制御装置。
【請求項５】
内蔵するメモリに、グラフィックスを描画し、画像を表示する表示手段へのグラフィックスの出力を制御する第１の制御手段と、前記第１の制御手段を制御する第２の制御手段とを備える表示制御装置の表示制御方法において、
前記第２の制御手段において、
前記第１の制御手段の前記メモリに特定のグラフィックスが記憶されているか否かを判定し、
前記特定のグラフィックスが記憶されていないと判定した場合、前記特定のグラフィックスを前記メモリに描画するように前記第１の制御手段を制御する
ステップを含む表示制御方法。
【請求項６】
内蔵するメモリに、グラフィックスを描画し、画像を表示する表示手段へのグラフィックスの出力を制御する第１の制御手段と、前記第１の制御手段を制御する第２の制御手段とを備える表示制御装置の前記第２の制御手段が内蔵するコンピュータに実行させるプログラムにおいて、
前記第１の制御手段の前記メモリに特定のグラフィックスが記憶されているか否かを判定し、
前記特定のグラフィックスが記憶されていないと判定した場合、前記特定のグラフィックスを前記メモリに描画するように前記第１の制御手段を制御する
ステップを含む処理をコンピュータに実行させるプログラム。
【発明の詳細な説明】
【技術分野】
【０００１】
本発明は、表示制御装置および表示制御方法、並びにプログラムに関し、特に、例えば、テレビジョン受像機のディスプレイでのグラフィックスの表示を迅速に行うことができるようにした表示制御装置および表示制御方法、並びにプログラムに関する。
【背景技術】
【０００２】
従来、テレビジョン受像機において、例えば、GUI（Graphical User Interface）としてのメニュー画面などのグラフィックスをディスプレイに表示させる操作がユーザにより行われると、テレビジョン受像機の各部を制御するマスタマイクロコントローラは、ユーザによる操作を受け付け、ディスプレイに表示させることが指示されたGUIを表示させるコマンドを、グラフィックスの表示を制御するグラフィックマイクロコントローラに供給する。
【０００３】
そして、グラフィックマイクロコントローラは、マスタマイクロコントローラからのGUIを表示させるコマンドに基づき、GUIを構成する要素（GUI部品）のデータ（オブジェクトデータ）を、外部のメモリからバスを介して読み出し、そのデータに従って、各種のGUI部品を描画することにより、GUI全体を描画してディスプレイに表示させる。
【０００４】
なお、ユーザによる操作に応じ、テレビジョン受像機の操作方法や機能説明などの画像（GUI）をディスプレイにOSD（On Screen Display）表示させるテレビジョン受像機がある（例えば、特許文献１参照）。
【特許文献１】特開平９−５５８９５号公報
【発明の開示】
【発明が解決しようとする課題】
【０００５】
しかしながら、上述したようなテレビジョン受像機において、例えば、多数のGUI部品で構成されるような複雑なGUIをディスプレイに表示させる場合、グラフィックマイクロコントローラは、GUIを表示させるコマンドに基づき、多数のオブジェクトデータを、外部のメモリからバスを介して読み出さなければならず、オブジェクトデータの読み出しに時間を要した。そのため、ユーザによりGUIを表示させる操作が行われてからディスプレイにGUIが表示されるまでに、時間を要することがあった。
【０００６】
さらに、GUIを表示させるコマンドには、GUIを構成するGUI部品を指定するデータが含まれるため、複雑なGUIをディスプレイに表示させる場合、GUIを表示させるコマンドは、多数のGUI部品を指定するデータを含み、そのデータ量が多くなる。従って、マスタマイクロコントローラとグラフィックマイクロコントローラとを接続するバスを通過する（流れる）データ量が多くなり、他のコマンドなどの送信が遅れる可能性があった。その結果、テレビジョン受像機の全体的な処理速度が低下する可能性があった。
【０００７】
また、従来のテレビジョン受像機では、ディスプレイにGUIを表示させるたびに、グラフィックマイクロコントローラにGUIを描画させていたので、ディスプレイに表示させたことがあるGUIを再表示させる場合であっても、グラフィックマイクロコントローラは、オブジェクトデータをメモリから読み出してGUIを再描画していた。そのため、グラフィックマイクロコントローラの負荷が増加し、グラフィックマイクロコントローラの処理に時間を要してしまい、ディスプレイへのGUIの表示が遅れることがあった。
【０００８】
本発明は、このような状況に鑑みてなされたものであり、ディスプレイへのグラフィックスの表示を迅速に行うことができるようにするものである。
【課題を解決するための手段】
【０００９】
本発明の一側面は、内蔵するメモリに、グラフィックスを描画し、画像を表示する表示手段へのグラフィックスの出力を制御する第１の制御手段と、前記第１の制御手段の前記メモリに特定のグラフィックスが記憶されているか否かを判定し、前記特定のグラフィックスが記憶されていないと判定した場合、前記特定のグラフィックスを前記メモリに描画するように前記第１の制御手段を制御する第２の制御手段とを備える表示制御装置である。
【００１０】
また、本発明の一側面は、内蔵するメモリに、グラフィックスを描画し、画像を表示する表示手段へのグラフィックスの出力を制御する第１の制御手段と、前記第１の制御手段を制御する第２の制御手段とを備える表示制御装置の表示制御方法、または、表示制御装置の前記第２の制御手段が内蔵するコンピュータに実行させるプログラムであって、前記第２の制御手段において、前記第１の制御手段の前記メモリに特定のグラフィックスが記憶されているか否かを判定し、前記特定のグラフィックスが記憶されていないと判定した場合、前記特定のグラフィックスを前記メモリに描画するように前記第１の制御手段を制御するステップを含む表示制御方法、またはプログラムでもある。
【００１１】
本発明の一側面においては、第１の制御手段のメモリに特定のグラフィックスが記憶されているか否かが判定され、特定のグラフィックスが記憶されていないと判定された場合、特定のグラフィックスをメモリに描画するように第１の制御手段が制御される。
【発明の効果】
【００１２】
本発明の一側面によれば、ディスプレイへのグラフィックスの表示を迅速に行うことができる。
【発明を実施するための最良の形態】
【００１３】
以下に本発明の実施の形態を説明するが、本発明の構成要件と、明細書又は図面に記載の実施の形態との対応関係を例示すると、次のようになる。この記載は、本発明をサポートする実施の形態が、明細書又は図面に記載されていることを確認するためのものである。従って、明細書又は図面中には記載されているが、本発明の構成要件に対応する実施の形態として、ここには記載されていない実施の形態があったとしても、そのことは、その実施の形態が、その構成要件に対応するものではないことを意味するものではない。逆に、実施の形態が構成要件に対応するものとしてここに記載されていたとしても、そのことは、その実施の形態が、その構成要件以外の構成要件には対応しないものであることを意味するものでもない。
【００１４】
本発明の一側面の表示制御装置は、
内蔵するメモリ（例えば、図１のメモリ３６）に、グラフィックスを描画し、画像を表示する表示手段（例えば、図１のディスプレイ１１）へのグラフィックスの出力を制御する第１の制御手段（例えば、図１のグラフィックマイクロコントローラ３３）と、
前記第１の制御手段の前記メモリに特定のグラフィックスが記憶されているか否かを判定し、前記特定のグラフィックスが記憶されていないと判定した場合、前記特定のグラフィックスを前記メモリに描画するように前記第１の制御手段を制御する第２の制御手段（例えば、図１のＴＶマイクロコントローラ２６）と
を備える。
【００１５】
本発明の一側面の表示制御方法、またはプログラムは、
内蔵するメモリに、グラフィックスを描画し、画像を表示する表示手段へのグラフィックスの出力を制御する第１の制御手段と、前記第１の制御手段を制御する第２の制御手段とを備える表示制御装置の表示制御方法、または、表示制御装置の前記第２の制御手段が内蔵するコンピュータに実行させるプログラムであって、
前記第２の制御手段において、
前記第１の制御手段の前記メモリに特定のグラフィックスが記憶されているか否かを判定し（例えば、図２のステップＳ１４）、
前記特定のグラフィックスが記憶されていないと判定した場合、前記特定のグラフィックスを前記メモリに描画するように前記第１の制御手段を制御する（例えば、図２のステップＳ１５）
ステップを含む。
【００１６】
以下、本発明を適用した具体的な実施の形態について、図面を参照しながら詳細に説明する。
【００１７】
図１は、本発明を適用したテレビジョン受像機の一実施の形態の構成例を示すブロック図である。なお、図１においては、原則として、破線の矢印は、テレビジョン放送番組などの本来的にテレビジョン受像機として表示すべき画像データの流れを表し、実線の矢印は、GUIその他に関するコマンドやデータの流れを表す。
【００１８】
図１において、テレビジョン受像機１０は、ディスプレイ１１、受光部１２、フロントエンド１３、およびバックエンド１４から構成される。また、テレビジョン受像機１０は、ユーザによるリモートコマンダ１５の操作に応じ、各種の処理を行う。
【００１９】
ディスプレイ１１は、例えば、CRT（Cathode Ray Tube）や、LCD（Liquid Crystal Display），PDP（Plasma Display Panel）などからなり、バックエンド１４が出力する画像データに基づく画像を表示する。
【００２０】
受光部１２は、リモートコマンダ１５から無線（例えば、赤外線）によって送信されてくる信号を受信（受光）し、フロントエンド１３に供給する。例えば、ユーザがリモートコマンダ１５を操作すると、リモートコマンダ１５は、その操作に対応した操作信号を、無線によって送信し、受光部１２は、リモートコマンダ１５からの操作信号を受信して、フロントエンド１３に供給する。
【００２１】
フロントエンド１３は、受光部１２からの操作信号に対応するコマンドや、図示せぬアンテナが受信した放送信号に含まれる画像データをバックエンド１４に供給する。
【００２２】
具体的には、フロントエンド１３は、チューナ２１、外部入力端子２２、入力切替部（Video SW）２３、デコーダ２４、EEPROM（Electronically Erasable and Programmable Read Only Memory）２５、およびＴＶ（テレビジョン）マイクロコントローラ（マスタマイクロコントローラ）２６を備える。
【００２３】
チューナ２１には、図示せぬアンテナが受信した放送信号が供給され、チューナ２１は、例えば、所定の放送局からの放送信号を選択（選局）し、その放送信号に含まれる画像データを復調して、入力切替部２３に供給する。
【００２４】
外部入力端子２２は、いわゆるピン入力の接続端子などのインタフェースであり、図示せぬ外部機器に接続され、外部機器から供給される画像データを入力切替部２３に供給する。
【００２５】
入力切替部２３は、例えば、ＴＶマイクロコントローラ２６の制御に従い、チューナ２１からの画像データ、または外部入力端子２２からの画像データのうちのいずれか一方の画像データを選択し、選択した画像データをバックエンド１４（の後述するデコーダ３１）に供給する。
【００２６】
デコーダ２４には、リモートコマンダ１５が送信する操作信号が受光部１２から供給され、デコーダ２４は、その操作信号をデコードしてＴＶマイクロコントローラ２６に供給する。
【００２７】
EEPROM２５には、ディスプレイ１１に表示されるGUIを構成するGUI部品の設定（例えば、GUI部品の色の設定など）を示す設定データなどが、あらかじめ記憶されている。また、EEPROM２５は、ＴＶマイクロコントローラ２６から供給される設定データを記憶する。
【００２８】
ＴＶマイクロコントローラ２６は、CPU（Central Processing Unit）２７とメモリ２８などによって構成され、CPU２７が、メモリ２８に記憶されているプログラムを読み出して実行することにより、フロントエンド１３全体の制御、その他、各種の処理を行う。
【００２９】
例えば、ＴＶマイクロコントローラ２６は、ディスプレイ１１にメニュー画面などのGUIを表示させる操作信号がデコーダ２４から供給されると、その操作信号によりディスプレイ１１に表示させることが指示されたGUIの描画を指示するコマンドや、そのGUIの表示を指示するコマンドを、バックエンド１４の後述するグラフィックマイクロコントローラ３３に供給する。
【００３０】
さらに、ＴＶマイクロコントローラ２６は、ディスプレイ１１にGUIを表示させる操作信号が供給されなくても、グラフィックマイクロコントローラ３３に特定のGUIをあらかじめ描画（記憶）させておくために、GUIの描画を指示するコマンドをグラフィックマイクロコントローラ３３に供給する。そして、ＴＶマイクロコントローラ２６は、メモリ２８に、グラフィックマイクロコントローラ３３に描画（記憶）させたGUIに関するデータや、グラフィックマイクロコントローラ３３にディスプレイ１１に表示させたGUIに関するデータを記憶させ、メモリ２８の記憶内容を参照することにより、グラフィックマイクロコントローラ３３が特定のGUIを記憶しているかどうかを確認（認識）し、ディスプレイ１１の表示内容を確認（認識）する。
【００３１】
また、ＴＶマイクロコントローラ２６は、グラフィックマイクロコントローラ３３に描画させるGUIが、グラフィックマイクロコントローラ３３に既に記憶されているGUIを構成する一部のGUI部品の設定を変更（例えば、あるGUI部品の色の設定を変更）することにより得られるGUIであれば、GUI（GUI部品）の設定を変更させるコマンドをグラフィックマイクロコントローラ３３に供給するとともに、設定の変更後のGUI（GUI部品）の設定を示す設定データをEEPROM２５に供給して記憶させる。
【００３２】
バックエンド１４は、フロントエンド１３からのコマンドに応じ、例えば、ディスプレイ１１に表示させるメニュー画面などのGUIを描画し、ディスプレイ１１にGUIを表示させるための画像データを出力して、GUIをディスプレイ１１に表示させる。また、バックエンド１４は、GUIを表示させるための画像データを、放送信号に含まれる画像データに重畳して出力し、ディスプレイ１１に表示させる。
【００３３】
具体的には、バックエンド１４は、デコーダ３１、ROM（Read Only Memory）３２、およびグラフィックマイクロコントローラ３３を備える。また、グラフィックマイクロコントローラ３３とＴＶマイクロコントローラ２６は、バス３４を介して接続されている。
【００３４】
デコーダ３１には、入力切替部２３から画像データが供給される。入力切替部２３からの画像データが、例えば、MPEG(Moving Picture Experts Group)-２などの所定の符号化方式により符号化されている場合、デコーダ３１は、その所定の符号化方式に対応した復号方式で、画像データを復号する。そして、デコーダ３１は、復号した画像データをグラフィックマイクロコントローラ３３に供給する。
【００３５】
ROM３２には、ディスプレイ１１に表示されるGUIを構成するGUI部品の描画に用いられるオブジェクトデータが記憶されている。
【００３６】
グラフィックマイクロコントローラ３３は、CPU３５とメモリ３６などによって構成され（を内蔵し）、CPU３５が、メモリ３６に記憶されているプログラムを読み出して実行することにより、各種の処理を行う。
【００３７】
例えば、グラフィックマイクロコントローラ３３は、デコーダ３１からの画像データに所定のデータ処理（例えば、明るさやコントラストなどを調整する処理）を施し、そのデータ処理後の画像データをディスプレイ１１に出力して、ディスプレイ１１に画像を表示させる。
【００３８】
また、グラフィックマイクロコントローラ３３は、バス３４を介してＴＶマイクロコントローラ２６から、GUIの描画を指示するコマンドが供給されると、そのコマンドにより指定されたGUIを、メモリ３６に描画し、これにより、そのGUI（のイメージデータ）をメモリ３６に記憶させる。
【００３９】
さらに、グラフィックマイクロコントローラ３３は、バス３４を介してＴＶマイクロコントローラ２６から、GUIの設定の変更を指示するコマンドが供給されると、メモリ３６に既に記憶されているGUIを構成する一部のGUI部品の設定を変更することにより、新たなGUIをメモリ３６に記憶させる。
【００４０】
また、グラフィックマイクロコントローラ３３は、バス３４を介してＴＶマイクロコントローラ２６から、GUIの表示を指示するコマンドが供給されると、そのコマンドにより指定され、メモリ３６に既に記憶されているGUIに対応する画像データをディスプレイ１１に出力して、ディスプレイ１１にGUIを表示させる。
【００４１】
メモリ３６は、CPU３５が実行するプログラムを記憶している他、複数のGUIを記憶する。即ち、グラフィックマイクロコントローラ３３は、例えば、メモリ３６の一部の記憶領域を第１のバッファ３７として確保するとともに、他の一部の記憶領域を第２のバッファ３８として確保して、ある１つのGUIを第１のバッファ３７に記憶（描画）し、他の１つのGUIを第２のバッファ３８に記憶（描画）する。ディスプレイ１１には、第１のバッファ３７や第２のバッファ３８に記憶されたGUIが表示される。
【００４２】
以上のように構成されるテレビジョン受像機１０では、チューナ２１により選択された放送信号に含まれる画像データが、入力切替部２３、デコーダ３１、およびグラフィックマイクロコントローラ３３を介してディスプレイ１１に供給され、ディスプレイ１１に画像が表示される。また、テレビジョン受像機１０では、GUIを表示させる操作がユーザにより行われると、GUIを表示させる操作信号が、受光部１２およびデコーダ２４を介してＴＶマイクロコントローラ２６に供給される。そして、GUIの表示を指示するコマンドが、ＴＶマイクロコントローラ２６からグラフィックマイクロコントローラ３３に供給され、GUIに対応する画像データが、グラフィックマイクロコントローラ３３からディスプレイ１１に供給されて、ディスプレイ１１にGUIが表示される。
【００４３】
次に、図２は、図１のＴＶマイクロコントローラ２６が行う処理を説明するフローチャートである。
【００４４】
ユーザの操作により、リモートコマンダ１５の図示せぬ電源キーがオン状態にされ、テレビジョン受像機１０が動作可能な状態に起動すると、ステップＳ１１において、ＴＶマイクロコントローラ２６は、デコーダ２４から、ディスプレイ１１にGUIを表示させる操作信号が供給されたか否かを判定する。
【００４５】
ステップＳ１１において、ＴＶマイクロコントローラ２６は、ディスプレイ１１にGUIを表示させる操作信号が供給されていないと判定した場合、ステップＳ１２に進み、ディスプレイ１１の表示内容を確認（認識）し、ステップＳ１３に進む。なお、上述したように、ＴＶマイクロコントローラ２６は、ディスプレイ１１に表示されるGUIに関するデータをメモリ２８に記憶しており、メモリ２８を参照することで、ディスプレイ１１の表示内容を確認する。
【００４６】
ステップＳ１３において、ＴＶマイクロコントローラ２６は、ディスプレイ１１にGUIが表示されているか否かを判定する。例えば、ステップＳ１２で確認されたディスプレイ１１の表示内容がGUIであれば、ＴＶマイクロコントローラ２６は、ステップＳ１３において、ディスプレイ１１にGUIが表示されていると判定し、ステップＳ１１に戻る。
【００４７】
一方、ステップＳ１２で確認されたディスプレイ１１の表示内容が、例えば、チューナ２１が復調した画像データに基づく画像であれば、ＴＶマイクロコントローラ２６は、ステップＳ１３において、ディスプレイ１１にGUIが表示されていないと判定し、ステップＳ１４に進む。
【００４８】
ステップＳ１４において、ＴＶマイクロコントローラ２６は、グラフィックマイクロコントローラ３３のメモリ３６に、特定のGUIが記憶されているか否かを判定する。なお、上述したように、ＴＶマイクロコントローラ２６は、グラフィックマイクロコントローラ３３に記憶させたGUIに関するデータをメモリ２８に記憶しており、メモリ２８を参照することで、特定のGUIがメモリ３６に記憶されているかを確認する。
【００４９】
ここで、例えば、ＴＶマイクロコントローラ２６には、グラフィックマイクロコントローラ３３に描画させ、優先的にメモリ３６に記憶させておくGUIの優先順位が設定されており、ＴＶマイクロコントローラ２６は、優先順位が最上位のGUIを特定のGUIとして、ステップＳ１４の処理を行う。優先順位が最上位のGUIには、例えば、表示内容が複雑なGUI、即ち、多数のGUI部品が用いられていてROM３２からのGUI部品の読み出しに時間がかかるGUIであって、表示される可能性が高い、例えば、メニュー画面のGUIなどが設定される。また、優先順位がより上位のGUIには、例えば、優先順位が最上位のGUIからリンクが貼られているGUI、即ち、優先順位が最上位のGUIに対する操作に応じて表示されるGUIであって、表示内容がより複雑なGUIなどが設定される。
【００５０】
ステップＳ１４において、ＴＶマイクロコントローラ２６が、特定のGUIが記憶されていると判定した場合、ステップＳ１１に戻り、特定のGUIが記憶されていないと判定した場合、ステップＳ１５に進む。
【００５１】
ステップＳ１５において、ＴＶマイクロコントローラ２６は、特定のGUIを描画するようにグラフィックマイクロコントローラ３３を制御するGUI描画制御処理を行い、ステップＳ１１に戻る。
【００５２】
一方、例えば、ユーザによりリモートコマンダ１５が操作され、ディスプレイ１１にGUIを表示させる操作信号が、リモートコマンダ１５から受光部１２およびデコーダ２４を介して、ＴＶマイクロコントローラ２６に供給されると、ステップＳ１１において、ＴＶマイクロコントローラ２６は、デコーダ２４から、ディスプレイ１１にGUIを表示させる操作信号が供給されたと判定し、ステップＳ１６に進む。
【００５３】
ステップＳ１６において、ＴＶマイクロコントローラ２６は、メモリ２８を参照し、グラフィックマイクロコントローラ３３のメモリ３６に、リモートコマンダ１５からの操作信号によりディスプレイ１１に表示させることが指示されたGUIが記憶されているか否かを判定する。
【００５４】
例えば、ステップＳ１５や、後述するステップＳ１７のGUI描画制御処理によって、ディスプレイ１１に表示させることが指示されたGUIが、グラフィックマイクロコントローラ３３により描画され、あらかじめメモリ３６に記憶されていれば、ＴＶマイクロコントローラ２６は、ステップＳ１６において、GUIが記憶されていると判定し、ステップＳ１７をスキップして、ステップＳ１８に進む。
【００５５】
一方、ステップＳ１６において、ＴＶマイクロコントローラ２６が、グラフィックマイクロコントローラ３３のメモリ３６に、リモートコマンダ１５からの操作信号によりディスプレイ１１に表示させることが指示されたGUIが記憶されていないと判定した場合、ステップＳ１７に進む。
【００５６】
ステップＳ１７において、ＴＶマイクロコントローラ２６は、ディスプレイ１１に表示させることが指示されたGUIを描画するようにグラフィックマイクロコントローラ３３を制御するGUI描画制御処理を行い、ステップＳ１８に進む。
【００５７】
ステップＳ１８において、ＴＶマイクロコントローラ２６は、ディスプレイ１１に表示させることが指示されたGUIを表示させるコマンドをグラフィックマイクロコントローラ３３に供給し、ステップＳ１１に戻る。
【００５８】
次に、図３は、図２のステップＳ１５またはＳ１７におけるGUI描画制御処理を説明するフローチャートである。
【００５９】
ここで、GUI描画制御処理において描画の対象となるGUIを、以下、適宜、注目GUIという。ステップＳ１５のGUI描画制御処理における注目GUIは、特定のGUIであり、ステップＳ１７のGUI描画制御処理における注目GUIは、ディスプレイ１１に表示させることが指示されたGUIである。
【００６０】
ステップＳ２１において、ＴＶマイクロコントローラ２６は、メモリ２８を参照し、注目GUIが、グラフィックマイクロコントローラ３３のメモリ３６に既に記憶されているGUIを構成するGUI部品の設定を変更することにより得られるGUIであるか否かを判定する。
【００６１】
ステップＳ２１において、注目GUIが、グラフィックマイクロコントローラ３３のメモリ３６に既に記憶されているGUIを構成するGUI部品の設定を変更することにより得られるGUIでないと判定された場合、ステップＳ２２に進み、ＴＶマイクロコントローラ２６は、注目GUIを描画させるコマンドをグラフィックマイクロコントローラ３３に供給する。
【００６２】
一方、ステップＳ２１において、注目GUIが、グラフィックマイクロコントローラ３３のメモリ３６に既に記憶されているGUIを構成するGUI部品の設定を変更することにより得られるGUIであると判定された場合、ステップＳ２３に進み、ＴＶマイクロコントローラ２６は、GUIの設定の変更を指示するコマンドをグラフィックマイクロコントローラ３３に供給する。
【００６３】
例えば、あるGUIがディスプレイ１１に表示されていて、ユーザにより行われた操作により、そのGUIを構成するあるGUI部品の色を変更した新しいGUIを、あるGUIに代えて、ディスプレイ１１に表示させるような場合、ディスプレイ１１に表示されているGUIはメモリ３６に記憶されていて、そのGUIを構成するGUI部品の色を変更することにより新しいGUIが得られるので、ＴＶマイクロコントローラ２６は、GUIの色の設定の変更を指示するコマンドをグラフィックマイクロコントローラ３３に供給する。
【００６４】
ステップＳ２２またはＳ２３の処理後、ステップＳ２４に進み、ＴＶマイクロコントローラ２６は、グラフィックマイクロコントローラ３３のメモリ３６に記憶させたGUIに関するデータを、メモリ２８に記憶する。ＴＶマイクロコントローラ２６は、GUIに関するデータをメモリ２８に記憶することで、ステップＳ１４（図２）やステップＳ２１において、バス３４を介して、グラフィックマイクロコントローラ３３のメモリ３６の内容を参照することなく、メモリ２８に記憶されているGUIに関するデータを参照して、メモリ３６に記憶されているGUIを認識することができる。
【００６５】
ステップＳ２４の処理後、ＴＶマイクロコントローラ２６は、GUI描画制御処理を終了する。
【００６６】
次に、図４は、図１のグラフィックマイクロコントローラ３３が行う処理を説明するフローチャートである。
【００６７】
ステップＳ３１において、グラフィックマイクロコントローラ３３は、バス３４を介してＴＶマイクロコントローラ２６から、GUIの描画を指示するコマンド、GUIの設定の変更を指示するコマンド、またはGUIの表示を指示するコマンドのうちの、いずれのコマンドが供給されたかを判定する。
【００６８】
ステップＳ３１において、グラフィックマイクロコントローラ３３が、GUIの描画を指示するコマンドが供給されたと判定した場合、ステップＳ３２に進み、グラフィックマイクロコントローラ３３は、GUIの描画を指示するコマンドにより指定されたGUIの描画に必要なデータをメモリ３６に記憶する。
【００６９】
ここで、GUIの描画を指示するコマンドには、GUIの描画に必要なデータとして、例えば、GUIを構成するGUI部品を指定するデータ（例えば、GUI部品を特定する情報として、GUI部品に対応付けられたオブジェクトＩＤ（IDentification））や、そのGUI部品が配置される位置を指定するデータ、GUI部品の設定を示す設定データなどが含まれており、グラフィックマイクロコントローラ３３は、それらのデータをメモリ３６に記憶する。また、GUI部品の設定を示す設定データは、EEPROM２５にあらかじめ記憶されている設定データ、またはユーザ操作によるGUI部品の設定の変更後にEEPROM２５に記憶された設定データである。
【００７０】
ステップＳ３２の処理後、ステップＳ３３に進み、グラフィックマイクロコントローラ３３は、ステップＳ３２で記憶したデータのうちの、GUIを構成するGUI部品を指定するデータに基づいてROM３２を検索する。そして、GUIの描画を指示するコマンドにより指定されたGUIを構成するGUI部品の描画に用いられるオブジェクトデータを、ROM３２から読み出す。例えば、ROM３２には、オブジェクトＩＤに対応付けられたオブジェクトデータが記憶されており、グラフィックマイクロコントローラ３３は、ＴＶマイクロコントローラ２６からのオブジェクトＩＤ（GUI部品を指定するデータ）に対応付けられているオブジェクトデータを、ROM３２から読み出す。
【００７１】
グラフィックマイクロコントローラ３３は、GUI部品を指定するデータにより指定された全てのGUI部品を読み出すと、ステップＳ３４に進み、ステップＳ３２で記憶したデータのうちの、GUI部品が配置される位置を指定するデータと、ステップＳ３２でROM３２から読み出したオブジェクトデータに基づいてGUI部品、ひいては、GUI全体をメモリ３６に描画し、ステップＳ３５に進む。
【００７２】
ステップＳ３５において、グラフィックマイクロコントローラ３３は、ステップＳ３２で記憶したデータのうちの、GUI部品の設定を示す設定データを、ステップＳ３４で描画したGUIを構成するGUI部品に適用する。例えば、上述したように、GUI部品の設定を示す設定データが、ユーザ操作によるGUI部品の設定の変更後にEEPROM２５に記憶された設定データであれば、グラフィックマイクロコントローラ３３は、その設定データをGUI部品に適用して、ステップＳ３１に戻る。
【００７３】
一方、ステップＳ３１において、グラフィックマイクロコントローラ３３が、GUIの設定の変更を指示するコマンドが供給されたと判定した場合、ステップＳ３６に進み、グラフィックマイクロコントローラ３３は、GUIの設定の変更を指示するコマンドにより指定され、メモリ３６に既に記憶（描画）されているGUIを構成するGUI部品の設定を変更して、ステップＳ３１に戻る。
【００７４】
ここで、GUIの設定の変更を指示するコマンドが、例えば、メモリ３６の第１のバッファ３７に記憶されているGUIを構成するあるGUI部品の設定の変更を指示するコマンドであり、変更後の設定を示す設定データを含んでいることとすると、グラフィックマイクロコントローラ３３は、そのコマンドに従い、第１のバッファ３７からGUIを読み出し、そのGUIをコマンドに含まれている設定データに基づいて変更したGUIを第２のバッファ３８に描画する。
【００７５】
一方、ステップＳ３１において、グラフィックマイクロコントローラ３３が、GUIの表示を指示するコマンドが供給されたと判定した場合、ステップＳ３７に進み、グラフィックマイクロコントローラ３３は、GUIの表示を指示するコマンドにより指定され、メモリ３６に記憶されているGUIに対応する画像データをディスプレイ１１に出力して、ディスプレイ１１にGUIを表示させ、ステップＳ３１に戻る。
【００７６】
以上のように、ＴＶマイクロコントローラ２６が、ディスプレイ１１にGUIを表示させる操作信号が供給されなくても、特定のGUIを描画して、あらかじめメモリ３６に記憶（描画）するようにグラフィックマイクロコントローラ３３を制御するので、ディスプレイ１１に表示させる操作信号により指示されたGUIが、メモリ３６にあらかじめ記憶されたGUIであれば、グラフィックマイクロコントローラ３３は、ROM３２からGUI部品を読み出す処理などをすることなく、ディスプレイ１１にGUIを迅速に表示させることができる。
【００７７】
特に、例えば、表示内容が複雑なGUI、即ち、多数のGUI部品が用いられていてROM３２からのGUI部品の読み出しに時間がかかるGUIを、特定のGUIとしてＴＶマイクロコントローラ２６に設定することで、テレビジョン受像機１０は、表示内容が複雑なGUIのディスプレイ１１への表示を迅速に行うことができる。
【００７８】
さらに、ディスプレイ１１に表示させる操作信号により指示されたGUIが、メモリ３６にあらかじめ記憶されているGUIでなくても、メモリ３６に記憶されているGUIを構成する一部のGUI部品の設定を変更することにより得られるGUIであれば、ＴＶマイクロコントローラ２６は、メモリ３６に記憶されているGUIを構成する一部のGUI部品の設定を変更するようにグラフィックマイクロコントローラ３３を制御する。これにより、グラフィックマイクロコントローラ３３は、GUI部品の設定を変更するだけでGUIを得ることができ、GUIを構成する全てのGUI部品を描画して表示させる場合より、GUIのディスプレイ１１への表示を迅速に行うことができる。
【００７９】
また、上述したように、GUIの描画を指示するコマンドには、例えば、GUIを構成するGUI部品を指定するデータや、そのGUI部品が配置される位置を指定するデータ、GUI部品の設定を示す設定データなどが含まれているので、GUIの描画を指示するコマンドは、ディスプレイ１１に表示させるGUIを指定するだけの、GUIの表示を指示するコマンドよりデータ量が多い。
【００８０】
従来のテレビジョン受像機では、GUIを表示させる操作が行われるたびに、GUIの描画を指示するコマンドが送信されていたが、テレビジョン受像機１０では、メモリ３６にGUIをあらかじめ記憶させているので、GUIの描画を指示するコマンドよりデータ量の少ない、GUIの表示を指示するコマンドにより、ディスプレイ１１にGUIを表示させることができる。これにより、テレビジョン受像機１０では、バス３４を通過する（流れる）データ量を低減させることができ、テレビジョン受像機１０の全体的な処理速度の低下を回避することができる。
【００８１】
さらに、メモリ３６は、複数のGUIを記憶することができ、グラフィックマイクロコントローラ３３は、メモリ３６の一部の記憶領域を第１のバッファ３７として確保して、ある１つのGUI（第１のGUI）（第１のグラフィックス）を第１のバッファ３７に記憶し、メモリ３６の他の一部の記憶領域を第２のバッファ３８として確保して、他の１つのGUI（第２のGUI）（第２のグラフィックス）を第２のバッファ３８に記憶することができる。
【００８２】
これにより、例えば、第１のGUIを表示させた後に第２のGUIを表示させ、さらにその後に、第１のGUIを再表示させるように、ユーザにより操作された場合、グラフィックマイクロコントローラ３３は、ディスプレイ１１への画像データの出力を切り換えるだけで、それぞれのGUIを表示させることができる。従って、この場合、グラフィックマイクロコントローラ３３は、例えば、ROM３２から第１のGUIを構成するGUI部品を読み出す処理などを行うことなく、ディスプレイ１１に第１のGUIを迅速に再表示させることができる。
【００８３】
次に、図５乃至図７を参照して、ディスプレイ１１に表示されるメニュー画面などのGUIについて説明する。
【００８４】
図５は、テレビジョン受像機１０における画質や音質などの設定を行うときに表示されるメニュー画面５０を示す図である。メニュー画面５０は、画質ボタン、音質ボタン、その他ボタン、終了ボタンなどのGUI部品により構成されており、画質ボタンがフォーカスされている状態（例えば、画質ボタンが選択されていて、画質ボタンの選択を決定する操作がユーザにより行われると、画質の設定を行うためのサブメニュー画面が表示されることを表すために、画質ボタンの色を変えるなどして、画質ボタンを強調させた状態）になっている。
【００８５】
例えば、メニュー画面５０の設定として、画質ボタンがフォーカスされる設定を示す設定データがEEPROM２５にあらかじめ記憶されており、優先順位が最上位のGUIとして、メニュー画面５０がＴＶマイクロコントローラ２６に設定されているとすると、ＴＶマイクロコントローラ２６において、図２のステップＳ１５の処理が行われ、グラフィックマイクロコントローラ３３において、図４のステップＳ３５の処理が行われることにより、画質ボタンがフォーカスされている状態のメニュー画面５０が、メモリ３６の第１のバッファ３７に記憶される。
【００８６】
その後、ユーザにより、例えば、メニュー画面５０を表示させる操作が行われると、メニュー画面５０をディスプレイ１１に表示させる操作信号がＴＶマイクロコントローラ２６に供給される。ＴＶマイクロコントローラ２６は、メニュー画面５０がメモリ３６の第１のバッファ３７に記憶されているので、メニュー画面５０の表示を指示するコマンドをグラフィックマイクロコントローラ３３に供給する（図２のステップＳ１８）。グラフィックマイクロコントローラ３３は、そのコマンドに従い、メモリ３６の第１のバッファ３７に記憶しているメニュー画面５０をディスプレイ１１に表示させる（図４のステップＳ３７）。
【００８７】
また、ディスプレイ１１にメニュー画面５０が表示されているときに、ユーザにより、メニュー画面５０の終了ボタンが選択され、その選択が決定されると、ＴＶマイクロコントローラ２６は、メニュー画面５０の表示を終了するようにグラフィックマイクロコントローラ３３を制御し、メニュー画面５０が非表示とされる。このとき、グラフィックマイクロコントローラ３３は、メニュー画面５０に対応する画像データのディスプレイ１１への出力を停止するだけであり、メモリ３６の第１のバッファ３７に記憶されているメニュー画面５０は保持したままとする。これにより、例えば、その後、ユーザにより、メニュー画面５０を、再度、表示させる操作が行われると、メニュー画面５０をディスプレイ１１に迅速に表示させることができる。
【００８８】
なお、例えば、メニュー画面５０がディスプレイ１１に表示されているときに、ユーザによる操作が、一定時間だけ行われなかったときに、タイマー機能などによって、メニュー画面５０を非表示にするようにテレビジョン受像機１０が設定されている場合においても、グラフィックマイクロコントローラ３３は、メモリ３６の第１のバッファ３７に記憶されているメニュー画面５０は保持したままとするので、メニュー画面５０を再表示させるとき、ディスプレイ１１に迅速に表示させることができる。
【００８９】
次に、図６は、画質の設定を行うためのサブメニュー画面５１を示す図である。サブメニュー画面５１は、画質を設定するためのコントラストや、明るさ、シャープネスなどの値と、戻るボタンなどより構成されており、図５のメニュー画面５０がディスプレイ１１に表示されているときに、フォーカスされている画質ボタンの選択を決定する操作がユーザにより行われると、ディスプレイ１１に表示される。なお、コントラストや、明るさ、シャープネスなどの値は、画質を調整するためのデータとしてEEPROM２５に記憶されている。
【００９０】
例えば、サブメニュー画面５１が、図５のメニュー画面５０の次に優先順位が上位のGUIとして、ＴＶマイクロコントローラ２６に設定されているとすると、優先順位が最上位のGUIであるメニュー画面５０が第１のバッファ３７に描画された後、ＴＶマイクロコントローラ２６において、図２のステップＳ１５の処理が行われ、グラフィックマイクロコントローラ３３において、図４のステップＳ３５の処理が行われることにより、サブメニュー画面５１がメモリ３６の第２のバッファ３８に記憶される。
【００９１】
その後、ユーザにより、メニュー画面５０を表示させる操作が行われると、図５で説明したようにして、第１のバッファ３７に記憶されているメニュー画面５０がディスプレイ１１に表示され、さらにその後、ユーザにより、メニュー画面５０の画質ボタンの選択を決定する操作が行われると、サブメニュー画面５１をディスプレイ１１に表示させる操作信号がＴＶマイクロコントローラ２６に供給される。ＴＶマイクロコントローラ２６は、サブメニュー画面５１の表示を指示するコマンドをグラフィックマイクロコントローラ３３に供給する（図２のステップＳ１８）。グラフィックマイクロコントローラ３３は、そのコマンドに従い、ディスプレイ１１に出力する画像データを、第１のバッファ３７に記憶しているメニュー画面５０から、第２のバッファ３８に記憶しているサブメニュー画面５１に切り換え、サブメニュー画面５１をディスプレイ１１に表示させる（図４のステップＳ３７）。
【００９２】
また、ユーザが、コントラストなどの値を変更すると、ＴＶマイクロコントローラ２６は、変更後の画質を調整するためのデータをEEPROM２５に記憶させるとともに、そのデータを含む、GUIの設定の変更を指示するコマンドをグラフィックマイクロコントローラ３３に供給する（図３のステップＳ２３）。グラフィックマイクロコントローラ３３は、GUIの設定の変更を指示するコマンドに含まれるデータに基づき、変更後のコントラストなどの値をサブメニュー画面５１に適用して、表示させる。
【００９３】
その後、ユーザによりサブメニュー画面５１の戻るボタンが選択され、その選択が決定されると、図５のメニュー画面５０を表示させる操作信号がＴＶマイクロコントローラ２６に供給される。ＴＶマイクロコントローラ２６は、メニュー画面５０が第１のバッファ３７に記憶されているので、メニュー画面５０の表示を指示するコマンドをグラフィックマイクロコントローラ３３に供給する（図２のステップＳ１８）。グラフィックマイクロコントローラ３３は、そのコマンドに従い、ディスプレイ１１に出力する画像データを、第２のバッファ３８に記憶しているサブメニュー画面５１から、第１のバッファ３７に記憶しているメニュー画面５０に切り換え、メニュー画面５０をディスプレイ１１に表示させる（図４のステップＳ３７）。
【００９４】
このように、グラフィックマイクロコントローラ３３は、あらかじめメモリ３６に記憶しているメニュー画面５０やサブメニュー画面５１に対応する画像データの出力の切り換えを制御することで、メニュー画面５０やサブメニュー画面５１を、ディスプレイ１１に迅速に表示させることができる。
【００９５】
次に、図７は、音質ボタンがフォーカスされている状態のメニュー画面５２を示す図である。図５のメニュー画面５０がディスプレイ１１に表示されているときに、ユーザによりリモートコマンダ１５の、例えば、フォーカスを下方向に移動させるキー（図示しない）が操作されると、メニュー画面５２が、ディスプレイ１１に表示される。
【００９６】
例えば、メニュー画面５０が、優先順位が最上位のGUIとして設定されていて第１のバッファ３７に描画されている場合に、例えば、ユーザにより、メニュー画面５０を表示させる操作が行われると、図５で説明したようにして、第１のバッファ３７に記憶されているメニュー画面５０がディスプレイ１１に表示され、その後、ユーザにより上述のようなフォーカスを移動させる操作が行われると、メニュー画面５２は、メニュー画面５０のフォーカスの設定を変更したGUIであるので、ＴＶマイクロコントローラ２６は、GUIの設定の変更（画質ボタンから音質ボタンへのフォーカスの移動）を指示するコマンドをグラフィックマイクロコントローラ３３に供給し（図３のステップＳ２３）、その後、メニュー画面５２の表示を指示するコマンドをグラフィックマイクロコントローラ３３に供給する（図２のステップＳ１８）。
【００９７】
グラフィックマイクロコントローラ３３は、GUIの設定の変更を指示するコマンドに従い、第１のバッファ３７に記憶されているメニュー画面５０を読み出して、そのメニュー画面５０を、画質ボタンから音質ボタンにフォーカスが移動したメニュー画面５２に変更し、第２のバッファ３８に描画する（図４のステップＳ３６）。さらに、グラフィックマイクロコントローラ３３は、メニュー画面５２の表示を指示するコマンドに従って、ディスプレイ１１に出力するGUIを、第１のバッファ３７に記憶しているメニュー画面５０から、第２のバッファ３８に記憶しているメニュー画面５２に切り換え、メニュー画面５２をディスプレイ１１に表示させる。
【００９８】
このように、グラフィックマイクロコントローラ３３は、メニュー画面５２全体のオブジェクトデータをROM３２から読み出すことなく、メニュー画面５２を得ることができ、メニュー画面５２を迅速に表示させることができる。
【００９９】
また、ディスプレイ１１に表示させるGUIによっては、例えば、メモリ３６の第１のバッファ３７と第２のバッファ３８との両方の記憶領域が必要な場合があり、グラフィックマイクロコントローラ３３は、第１のバッファ３７に記憶されている優先順位が最上位のGUIを消去することがある。この場合、第１のバッファ３７と第２のバッファ３８との両方の記憶領域を必要とするGUIの表示が終了した後に、図２のステップＳ１５の処理が行われると、第１のバッファ３７に優先順位が最上位のGUIが描画される。さらに、その後、再度、図２のステップＳ１５の処理が行われると、第２のバッファ３８に優先順位が最上位のGUIの次に上位のGUIが描画される。
【０１００】
なお、ＴＶマイクロコントローラ２６のCPU２７により実行されるプログラムは、あらかじめメモリ２８に記憶させておく他、例えば、テレビジョン受像機１０に通信部（図示せず）を設け、その通信部を介して接続される外部の機器との通信により、メモリ２８に記憶させる（インストールする）ことができる。さらに、テレビジョン受像機１０が備える通信部は、インターネットやローカルエリアネットワークなどのネットワークに接続することができ、ネットワークを介してプログラムをダウンロードし、メモリ２８に記憶させることができる。また、テレビジョン受像機１０にドライブ（図示せず）を設け、そのドライブに、磁気ディスク、光ディスク、光磁気ディスク、或いは半導体メモリなどのリムーバブルメディアを装着して、リムーバブルメディアに記憶されているプログラムをメモリ２８に記憶させることができる。また、グラフィックマイクロコントローラ３３のCPU３５により実行されるプログラムも、同様にしてメモリ３６に記憶させることができる。
【０１０１】
なお、上述のフローチャートを参照して説明した各処理は、必ずしもフローチャートとして記載された順序に沿って時系列に処理する必要はなく、並列的あるいは個別に実行される処理（例えば、並列処理あるいはオブジェクトによる処理）も含むものである。
【０１０２】
また、プログラムは、１のコンピュータにより処理されるものであっても良いし、複数のコンピュータによって分散処理されるものであっても良い。
【０１０３】
ここで、本実施の形態では、本発明をディスプレイと一体的に構成されるテレビジョン受像機に適用した場合について説明したが、本発明は、その他、例えば、ディスプレイが接続されるチューナや、GUIその他のグラフィックスを表示するVTR（Video Tape Recorder）、ハードディスクレコーダなどに適用することができる。
【０１０４】
また、グラフィックマイクロコントローラ３３は、メモリ３６に、２つ以外のバッファ、例えば、１つや３つ以上のバッファを確保することができる。例えば、メモリ３６に３つ以上のバッファを確保することができる場合、より多くのGUIをあらかじめ描画しておくことで、ディスプレイ１１への表示を迅速に行うことができる。
【０１０５】
なお、本発明の実施の形態は、上述した実施の形態に限定されるものではなく、本発明の要旨を逸脱しない範囲において種々の変更が可能である。
【図面の簡単な説明】
【０１０６】
【図１】本発明を適用したテレビジョン受像機の一実施の形態の構成例を示すブロック図である。
【図２】ＴＶマイクロコントローラ２６が行う処理を説明するフローチャートである。
【図３】GUI描画制御処理を説明するフローチャートである。
【図４】グラフィックマイクロコントローラ３３が行う処理を説明するフローチャートである。
【図５】画質ボタンがフォーカスされている状態のメニュー画面を示す図である。
【図６】画質の設定を行うためのサブメニュー画面を示す図である。
【図７】音質ボタンがフォーカスされている状態のメニュー画面を示す図である。
【符号の説明】
【０１０７】
１０  テレビジョン受像機，  １１  ディスプレイ，  １２  受光部，  １３  フロントエンド，  １４  バックエンド，  １５  リモートコマンダ，  ２１  チューナ，  ２２  外部入力端子，  ２３  入力切替部，  ２４  デコーダ，  ２５  EEPROM，  ２６  ＴＶマイクロコントローラ，  ２７  CPU，  ２８  メモリ  ３１  デコーダ，  ３２  ROM，  ３３  グラフィックマイクロコントローラ，  ３４  バス，  ３５  CPU，  ３６  メモリ，  ３７  第１のバッファ，  ３８  第２のバッファ
【図１】
2007116382.tif 000003
【図２】
2007116382.tif 000004
【図３】
2007116382.tif 000005
【図４】
2007116382.tif 000006
【図５】
2007116382.tif 000007
【図６】
2007116382.tif 000008
【図７】
2007116382.tif 000009